(57)【要約】【課題】搬送途中で水分を返送できるようにする。【解決手段】スクリュー２の軸方向の一部に、搬送中の被搬送物の中の水分の逆流を促す領域１８を形成する。領域１８の搬送方向における基端部９に、逆流によりレベルが上昇した水分をケーシング１の側壁から外部に排出する排水口１０を設ける。前記領域を形成する手段として螺旋羽根４上に切欠５を設け、切欠を設けた位置の前側から後側にかけての所定の範囲を、副螺旋羽根６を設けることにより２条スクリュー部１６として構成する。副螺旋羽根６は、切欠５を通して逆流してきた被搬送物を受け止めて切欠５の前方の螺旋羽根上に送り込める長さに設定し、且つ、螺旋羽根４よりも水分の流通性を良くしてある。【選択図】図１
2006044902.tif 000002
【特許請求の範囲】
【請求項１】
樋状または円筒状のケーシングの中に、シャフトの外周に螺旋羽根を取り付けたスクリューを挿入し、該スクリューを回転させることにより、水分を含んだ汚泥等の被搬送物を、軸方向の一端側から他端側へ搬送するスクリューコンベアにおいて、
前記スクリューの軸方向の一部に、搬送中の被搬送物の中の水分の逆流を促す領域を形成し、該領域の搬送方向における基端部に、逆流によりレベルが上昇した水分を前記ケーシングの側壁から外部に排出する排水口を設けたことを特徴とするスクリューコンベア。
【請求項２】
前記水分の逆流を促す領域を形成する手段として、該領域の先端側に位置する前記螺旋羽根上に、主として水分の流通を可能にする切欠を設けたことを特徴とする請求項１に記載のスクリューコンベア。
【請求項３】
前記切欠を設けた位置の前側から後側にかけての所定の範囲を、前記螺旋羽根の中間位置に副螺旋羽根を設けることにより２条スクリュー部として構成し、前記副螺旋羽根は、前記切欠を通して逆流してきた被搬送物を受け止めて切欠の前方の螺旋羽根上に送り込める長さに設定し、且つ、前記螺旋羽根よりも水分の流通性を良くしてあることを特徴とする請求項２に記載のスクリューコンベア。
【請求項４】
前記副螺旋羽根は、前記螺旋羽根よりも外径を小さくして前記ケーシングとの隙間を大きくすることで、水分の流通性を良くしてあり、該隙間の閉塞防止のために前記副螺旋羽根の外周にブラシを設けたことを特徴とする請求項３に記載のスクリューコンベア。
【請求項５】
前記副螺旋羽根は、羽根面を網状に形成することで、水分の流通性を良くしてあることを特徴とする請求項３に記載のスクリューコンベア。
【発明の詳細な説明】
【技術分野】
【０００１】
本発明は、下水の沈砂池で集められた砂やし渣、沈殿池で集められた汚泥等を移送するスクリューコンベアに係り、特に水切り機能を備えたスクリューコンベアに関する。
【背景技術】
【０００２】
下水の沈砂池で集められた砂やし渣、沈殿池で集められた汚泥等の移送には、スクリューコンベアが多く利用されている。スクリューコンベアは、樋状または円筒状のケーシングの中に、シャフトの外周に螺旋羽根を取り付けたスクリューを挿入し、該スクリューを回転させることにより、ケーシングの一端側から他端側へ汚泥等を搬送するものである（例えば、特許文献１参照）。
【特許文献１】特開平１０−３５８５２号公報
【発明の開示】
【発明が解決しようとする課題】
【０００３】
ところで、スクリューコンベアで砂や汚泥を移送する場合、多量の水分も同時に移送されてしまうという問題があった。即ち、し渣や汚泥等はヘドロのような状態で粘性を有しており、スクリューとケーシングの隙間が汚泥等によって塞がれてしまうため、途中での水分の逃げ場が無く、水分がそのまま汚泥等と一緒に移送されていた。従って、水分は本来は沈砂池や沈殿池に戻したいのにも拘わらず、それができなかった。
【０００４】
本発明は、上記事情を考慮し、できるだけ水分を返送できるようにして、水を切った状態で被搬送物を移送できるようにしたスクリューコンベアを提供することを目的とする。
【課題を解決するための手段】
【０００５】
請求項１の発明は、樋状または円筒状のケーシングの中に、シャフトの外周に螺旋羽根を取り付けたスクリューを挿入し、該スクリューを回転させることにより、水分を含んだ汚泥等の被搬送物を、軸方向の一端側から他端側へ搬送するスクリューコンベアにおいて、前記スクリューの軸方向の一部に、搬送中の被搬送物の中の水分の逆流を促す領域を形成し、該領域の搬送方向における基端部に、逆流によりレベルが上昇した水分を前記ケーシングの側壁から外部に排出する排水口を設けたことを特徴とする。
【０００６】
請求項２の発明は、請求項１において、前記水分の逆流を促す領域を形成する手段として、該領域の先端側に位置する前記螺旋羽根上に、主として水分の流通を可能にする切欠を設けたことを特徴とする。
【０００７】
請求項３の発明は、請求項２において、前記切欠を設けた位置の前側から後側にかけての所定の範囲を、前記螺旋羽根の中間位置に副螺旋羽根を設けることにより２条スクリュー部として構成し、前記副螺旋羽根は、前記切欠を通して逆流してきた被搬送物を受け止めて切欠の前方の螺旋羽根上に送り込める長さに設定し、且つ、前記螺旋羽根よりも水分の流通性を良くしてあることを特徴とする。
【０００８】
請求項４の発明は、請求項３において、前記副螺旋羽根は、前記螺旋羽根よりも外径を小さくして前記ケーシングとの隙間を大きくすることで、水分の流通性を良くしてあり、該隙間の閉塞防止のために前記副螺旋羽根の外周にブラシを設けたことを特徴とする。
【０００９】
請求項５の発明は、請求項３において、前記副螺旋羽根は、羽根面を網状に形成することで、水分の流通性を良くしてあることを特徴とする。
【発明の効果】
【００１０】
請求項１の発明によれば、スクリューの軸方向の一部に、搬送中の被搬送物の中の水分の逆流を促す領域を形成してあるので、水分を多量に含んだ汚泥等を搬送した場合、前記領域を通過する際に、汚泥等に含まれる水分を、螺旋羽根によって搬送せずに、積極的に逆流させることができる。そして、逆流により前記領域中でレベルが上昇した水分だけを、ケーシングの側壁に設けた排水口によりケーシング外部に排出することができる。従って、返送する水分に汚泥等が混じることが少ない。このように、搬送途中で無理なく水分だけを返送することができるので、水分を切った状態で汚泥等を移送先に効率よく搬送することができる。
【００１１】
請求項２の発明によれば、水分の逆流を促す領域を形成する手段として、螺旋羽根上に切欠を設けているので、切欠を通して、粘性の小さい水分を素早く、しかも確実に逆流させることができる。そして、排水口から水分のみを返送することができる。
【００１２】
しかし、実際には、切欠の大きさにもよるが、切欠を通して汚泥等の固形物も逆流してしまう。そこで、請求項３の発明では、それらの固形物を捕捉するために副螺旋羽根を設けている。このように副螺旋羽根を設けて２条スクリュー部を構成することにより、切欠から脱落した汚泥等を確実に捕捉して、切欠の先方の螺旋羽根上に送り届けることができる。また、副螺旋羽根は、通常の螺旋羽根よりも水分の流通性を良くしてあるので、副螺旋羽根による搬送中に水分のみを逆流させることができる。
【００１３】
請求項４の発明によれば、副螺旋羽根の外径を小さくしてケーシングとの隙間を大きくすることで、水分の流通性を良くしてあり、しかも、副螺旋羽根の外周にブラシを設けて隙間の閉塞を防止しているため、副螺旋羽根とケーシングの隙間を通して水分を確実に逆流させることができる。
【００１４】
請求項５の発明によれば、副螺旋羽根の羽根面を網状に形成することで、水分の流通性を良くしてあるので、網目を通して水分を確実に逆流させることができる。
【発明を実施するための最良の形態】
【００１５】
以下、本発明の実施形態を図面を参照して説明する。
図１（ａ）は実施形態のスクリューコンベアの要部の透視側面図、（ｂ）は（ａ）のＩｂ−Ｉｂ矢視断面図である。
【００１６】
このスクリューコンベアは、樋状のケーシング１の中に、シャフト３の外周に一定ピッチの螺旋羽根４を取り付けたスクリュー２を挿入し、スクリュー２を矢印Ａ方向に回転させることにより、水分を含んだ汚泥等の被搬送物を、軸方向の一端側（低い側）から他端側（高い側）へ矢印Ｂのように搬送するようにしたものである。なお、ケーシング１の上面開口はカバー１１により塞がれている。
【００１７】
スクリュー２の軸方向の一部には、搬送中の被搬送物の中の水分の逆流を促す領域１８が形成してあり、その領域１８の搬送方向における基端部９に、逆流によりレベルが上昇した水分をケーシング１の側壁から外部に排出する排水口１０が設けてある。水分の逆流を促す領域１８を形成する手段として、該領域１８の先端側に位置する螺旋羽根４上に、主として水分の流通を可能にする切欠５が設けられている。切欠５は周方向の一部に設けられており、螺旋羽根４が一回転する間の切欠５が被搬送物中に位置するときだけ、切欠５を通して被搬送物が矢印Ｂと反対方向に逆流する。
【００１８】
このように切欠５を通して汚泥等の固形物が逆流すると、手前側の螺旋羽根４上に溜まる固形物が増えてしまう。そこで、切欠５を通して逆流してくる汚泥等を捕捉するために、副螺旋羽根６が設けられている。即ち、切欠５を設けた位置の前側から後側にかけての所定の範囲が、通常の螺旋羽根４の中間位置に副螺旋羽根６を設けることによって、２条スクリュー部１６として構成されている。なお、副螺旋羽根６は、切欠５を通して逆流してきた被搬送物を受け止めて、切欠５の前方の螺旋羽根４上に送り込める長さに設定されている。従って、切欠５から脱落した汚泥等を確実に捕捉して、切欠５の先方の螺旋羽根４上に送り届けることができる。
【００１９】
また、副螺旋羽根６は、通常の螺旋羽根４よりも外径を小さくしてケーシング１との隙間を大きくすることで、通常の螺旋羽根４よりも水分の流通性を良くしてある。また、副螺旋羽根６の外周には、隙間の閉塞防止のためにブラシ７を設けている。このように、通常の螺旋羽根４よりも水分の流通性を良くしてあるので、副螺旋羽根６による搬送中に水分のみを逆流させることができる。
【００２０】
以上の構成のスクリューコンベアによれば、スクリュー２の軸方向の一部に、搬送中の被搬送物の中の水分の逆流を促す領域１８を形成してあるので、水分を多量に含んだ汚泥等を搬送した場合に、前記領域を通過する段階で、汚泥等に含まれる水分を、螺旋羽根４によって搬送せずに、積極的に逆流させることができる。そして、逆流により前記領域中でレベルが上昇した水分だけを、ケーシング１の側壁に設けた排水口１０からケーシング外部に排出することができる。従って、返送する水分に汚泥等が混じることが少なく、搬送途中で無理なく水分だけを返送することができ、水分を切った状態で汚泥等を移送先に効率よく搬送することができる。特に、水分の逆流を促す領域１８を形成する手段として、螺旋羽根４上に切欠５を設けているので、切欠５を通して、粘性の小さい水分を素早く、しかも確実に逆流させることができ、その結果として排水口１０から水分のみを返送することができる。
【００２１】
なお、上記実施形態では、副螺旋羽根６の外径を小さくして外周にブラシ７を設けることにより、水分の流通性を良くした場合について述べたが、副螺旋羽根６の羽根面を網状に形成することで、水分の流通性を良くしてもよい。また、ケーシングとしては、上面が開放した樋状のケーシング１以外に、全周が閉じた円筒状のケーシングを使用してもよい。
【図面の簡単な説明】
【００２２】
【図１】本発明の実施形態のスクリューコンベアの構成図で、（ａ）はスクリューコンベアの要部の透視側面図、（ｂ）は（ａ）のＩｂ−Ｉｂ矢視断面図である。
【符号の説明】
【００２３】
１  ケーシング
２  スクリュー
３  シャフト
４  螺旋羽根
５  切欠
６  副螺旋羽根
７  ブラシ
９  基端部
１０  排水口
１６  ２条スクリュー部
１８  水分の逆流を促す領域
【図１】
2006044902.tif 000003